(57)【要約】      （修正有）【課題】端末装置の接続先のアクセスポイントを適切に選択する。【解決手段】端末装置２が、通信の実行位置の情報を含む端末情報を通信制御装置６に対して送信する送信部と、通信の実行位置に対応する無線アクセスポイントの候補の情報を含む接続先候補情報を通信制御装置６から受信する受信部と、接続先候補情報に含まれる各無線アクセスポイントに関する現在の帯域を推定する帯域推定部と、接続先候補情報に含まれる無線アクセスポイントの候補の中から接続先を選択する接続先選択部とを備える。接続先候補情報には、無線アクセスポイントの各候補に関して取得された過去の帯域の情報が含まれ、接続先選択部は、無線アクセスポイントの各候補に関する過去の帯域および前記推定された帯域に基づき、無線アクセスポイントを選択する構成とする。【選択図】図６
2017120994.tif 000002
【特許請求の範囲】
【請求項１】
通信を制御する通信制御装置との通信に基づき、接続可能な複数の無線アクセスポイントの中から接続すべき無線アクセスポイントを選択する端末装置であって、
通信の実行位置の情報を含む端末情報を前記通信制御装置に対して送信する送信部と、
前記通信の実行位置に対応する無線アクセスポイントの候補の情報を含む接続先候補情報を前記通信制御装置から受信する受信部と、
前記接続先候補情報に含まれる各無線アクセスポイントに関する現在の帯域を推定する帯域推定部と、
前記接続先候補情報に含まれる無線アクセスポイントの候補の中から１以上の無線アクセスポイントを接続先として選択する接続先選択部と
を備え、
前記接続先候補情報には、前記無線アクセスポイントの各候補に関して取得された過去の帯域の情報が含まれ、
前記接続先選択部は、前記無線アクセスポイントの各候補に関する前記過去の帯域および前記推定された帯域に基づき、前記１以上の無線アクセスポイントを選択することを特徴とする端末装置。
【請求項２】
前記帯域推定部は、ＲＴＴに基づき前記現在の帯域を推定することを特徴とする請求項１に記載の端末装置。
【請求項３】
前記通信の実行位置において接続可能な周辺の無線アクセスポイントを検出する周辺アクセスポイント検出部を更に備え、
前記端末情報には、前記周辺の無線アクセスポイントに関する情報が含まれ、
前記無線アクセスポイントの候補には、前記周辺の無線アクセスポイントが含まれることを特徴とする請求項１または請求項２に記載の端末装置。
【請求項４】
前記周辺の無線アクセスポイントの各々に関し、協調制御の実行の有無を検出する協調制御検出部を更に備え、
前記端末情報には、前記協調制御検出部による前記協調制御に関する検出結果が含まれ、
前記接続先候補情報には、前記協調制御に関する検出結果に対応する無線アクセスポイントの候補の情報が含まれることを特徴とする請求項１から請求項３のいずれかに記載の端末装置。
【請求項５】
前記周辺の無線アクセスポイントの各々に関し、使用するチャネルを検出するチャネル検出部を更に備え、
前記端末情報には、前記チャネル検出部による前記チャネルの検出結果が含まれ、
前記接続先候補情報には、前記チャネルの検出結果に対応する無線アクセスポイントの候補の情報が含まれることを特徴とする請求項１から請求項３のいずれかに記載の端末装置。
【請求項６】
前記周辺の無線アクセスポイントの各々に関し、電波のノイズレベルを検出するノイズ検出部を更に備え、
前記端末情報には、前記ノイズ検出部による前記ノイズレベルの検出結果が含まれ、
前記接続先候補情報には、前記ノイズレベルの検出結果に対応する無線アクセスポイントの候補の情報が含まれることを特徴とする請求項１から請求項３のいずれかに記載の端末装置。
【請求項７】
前記周辺アクセスポイント検出部は、前記無線アクセスポイントに関する受信信号強度を検出することを特徴とする請求項３に記載の端末装置。
【請求項８】
前記送信部は、周辺の無線アクセスポイントの検出情報および前記帯域推定部によって推定された帯域の情報を前記通信制御装置に対して送信することを特徴とする請求項１から請求項７のいずれかに記載の端末装置。
【請求項９】
通信を制御する通信制御装置との通信に基づき、接続可能な複数の無線アクセスポイントの中から接続すべき無線アクセスポイントを選択する端末装置であって、
通信の実行位置の情報を含む端末情報を前記通信制御装置に対して送信する送信部と、
前記通信の実行位置に対応する無線アクセスポイントの候補の情報を含む接続先候補情報を前記通信制御装置から受信する受信部と、
前記接続先候補情報に含まれる無線アクセスポイントに関する通信品質を測定する通信品質測定部と、
前記接続先候補情報に含まれる無線アクセスポイントの候補の中から１以上の無線アクセスポイントを接続先として選択する接続先選択部と
を備え、
前記送信部は、前記通信品質測定部によって測定された前記通信品質の情報を前記通信制御装置に対して更に送信し、
前記受信部は、前記通信品質の情報に基づき前記無線アクセスポイントに関して推定された帯域の情報を前記通信制御装置から受信し、
前記接続先選択部は、前記推定された帯域に基づき、前記１以上の無線アクセスポイントを選択することを特徴とする端末装置。
【請求項１０】
請求項１から請求項９のいずれかに係る前記端末装置に対して前記接続先候補情報を送信する通信制御装置。
【請求項１１】
請求項１から請求項９のいずれかに係る前記端末装置および請求項１０に係る前記通信制御装置を備えた通信システム。
【請求項１２】
通信制御装置からの情報に基づき選択した無線アクセスポイントを介して通信を行う端末装置に関する通信制御方法であって、
前記通信の実行位置の情報を含む端末情報を前記通信制御装置に対して送信する送信ステップと、
前記通信の実行位置に対応する無線アクセスポイントの候補の情報を含む接続先候補情報を前記通信制御装置から受信する受信ステップと、
前記接続先候補情報に含まれる無線アクセスポイントに関する現在の帯域を推定する帯域推定ステップと、
前記接続先候補情報に含まれる無線アクセスポイントの候補の中から１以上の無線アクセスポイントを接続先として選択する接続先選択ステップと
を含み、
前記接続先候補情報には、前記無線アクセスポイントの候補に関して取得された過去の帯域の情報が含まれ、
前記接続先選択ステップでは、前記無線アクセスポイントの候補に関して取得された過去の帯域および前記推定された帯域に基づき、前記１以上の無線アクセスポイントが選択されることを特徴とする通信制御方法。
【請求項１３】
通信制御装置からの制御情報に基づき選択した無線アクセスポイントを介して通信を行う端末装置に関する通信制御方法であって、
前記通信の実行位置の情報を含む端末情報を前記通信制御装置に対して送信する端末情報送信ステップと、
前記通信の実行位置に対応する無線アクセスポイントの候補の情報を含む接続先候補情報を前記通信制御装置から受信する候補情報受信ステップと、
前記接続先候補情報に含まれる無線アクセスポイントに関する通信品質を測定する通信品質測定ステップと、
前記接続先候補情報に含まれる無線アクセスポイントの候補の中から１以上の無線アクセスポイントを接続先として選択する接続先選択ステップと、
前記通信品質測定ステップによって測定された前記通信品質の情報を前記通信制御装置に対して送信する通信品質情報送信ステップと、
前記通信品質の情報に基づき前記無線アクセスポイントに関して推定された帯域の情報を前記通信制御装置から受信する帯域情報受信ステップと
を含み、
前記接続先選択ステップでは、前記推定された帯域に基づき、前記１以上の無線アクセスポイントが選択されることを特徴とする通信制御方法。
【発明の詳細な説明】
【技術分野】
【０００１】
本開示は、無線アクセスポイントを介して通信を行う端末装置、無線アクセスポイントに対する端末装置の接続を制御する通信制御装置、端末装置と通信制御装置とを備えた通信システム、および端末装置の接続先となる無線アクセスポイントを決定するための通信制御方法に関するものである。
【背景技術】
【０００２】
近年、ＬＴＥ（Long Term Evolution）などの携帯電話通信網や無線ＬＡＮなどの様々な無線通信方式の普及により、無線アクセスポイント（以下、単に「アクセスポイント」という。）の数が急速に増大している。スマートフォンなどの端末装置では、周辺に位置する複数のアクセスポイントから所望のアクセスポイントを適宜選択して無線通信を行うことが可能となっている。
【０００３】
一方、端末装置において、接続先となるアクセスポイントを無作為に選択すると、その選択したアクセスポイントの輻輳により接続し難い状況が生じる他、選択したアクセスポイントに接続した後にも、その無線ネットワークにおける無線品質や可用帯域によっては、所望の伝送速度が得られない場合がある。
【０００４】
従来、携帯電話の基地局や無線ＬＡＮなどのアクセスポイントからなる基地局を適切に選択するための技術として、例えば、端末が、各基地局との間の通信品質情報を測定し、その通信品質情報を測定位置情報とともに管理サーバに送信する一方、管理サーバは、受信した通信品質情報と測定位置情報とに基づいて、エリア内の各位置における各基地局の通信品質を示す通信品質データベースを作成し、端末または基地局用にマップ情報を編集し、マップ情報の信頼度を求め、そのマップ情報と信頼度とを端末に送信し、これにより、端末は、データの通信を行うときに、受信した信頼度を考慮して通信品質情報とマップ情報との間で重み付けを行い、通信を行う基地局の選択を行うようにした無線通信システムが知られている（特許文献１参照）。
【先行技術文献】
【特許文献】
【０００５】
【特許文献１】特開２０１５−１０９５０９号公報
【発明の概要】
【発明が解決しようとする課題】
【０００６】
ところで、上記特許文献１に記載された従来技術では、管理サーバは、無線通信の電波状態を示す通信品質の情報と、各基地局の負荷状態（混み具合）の情報を合わせることにより、マップ情報を生成するためのデータベースを構築する。
【０００７】
しかしながら、上記従来技術のような管理サーバによって収集される情報は、時間の経過とともに変化するため、端末が基地局を選択するために管理サーバから取得したマップ情報は、現在の基地局に関する帯域（すなわち、通信速度）の状況とは必ずしも一致しないことがあり、その結果、端末が適切な基地局を選択できない場合がある。
【０００８】
本開示は、このような従来技術の課題を鑑みて案出されたものであり、接続先の候補となるアクセスポイントに関して蓄積された過去の帯域の情報と、当該アクセスポイントに関する現在の帯域の状況とを考慮することにより、接続先のアクセスポイントを適切に選択可能とする端末装置、通信制御装置、通信システム、および通信制御方法を提供することを主目的とする。
【課題を解決するための手段】
【０００９】
本開示の端末装置は、通信を制御する通信制御装置との通信に基づき、接続可能な複数の無線アクセスポイントの中から接続すべき無線アクセスポイントを選択する端末装置であって、通信の実行位置の情報を含む端末情報を前記通信制御装置に対して送信する送信部と、前記通信の実行位置に対応する無線アクセスポイントの候補の情報を含む接続先候補情報を前記通信制御装置から受信する受信部と、前記接続先候補情報に含まれる各無線アクセスポイントに関する帯域を推定する帯域推定部と、前記接続先候補情報に含まれる無線アクセスポイントの候補の中から１以上の無線アクセスポイントを接続先として選択する接続先選択部とを備え、前記接続先候補情報には、前記無線アクセスポイントの各候補に関して取得された過去の帯域の情報が含まれ、前記接続先選択部は、前記無線アクセスポイントの各候補に関する前記過去の帯域および前記推定された帯域に基づき、前記１以上の無線アクセスポイントを選択することを特徴とする。
【発明の効果】
【００１０】
本開示によれば、接続先の候補となるアクセスポイントに関して蓄積された過去の帯域の情報と、当該アクセスポイントに関する現在の帯域の状況とを考慮することにより、端末装置の接続先のアクセスポイントを適切に選択することが可能となる。
【図面の簡単な説明】
【００１１】
【図１】第１実施形態に係る通信システムの全体構成図
【図２】第１実施形態に係る通信システムにおける端末装置および通信制御装置の機能ブロック図
【図３】第１実施形態に係るアクセスポイント管理リストの一例を示す説明図
【図４】第１実施形態に係るアクセスポイントに関する通信実績リストの一例を示す説明図
【図５】第１実施形態に係るアプリケーションに関する接続先候補リストの一例を示す説明図
【図６】第１実施形態に係る通信システムの接続先選択処理に関する制御シーケンス図
【図７】第１実施形態に係るアプリケーションに関する要求帯域リストの一例を示す説明図
【図８】第１実施形態に係るアプリケーションに関する接続先候補リストの変形例を示す説明図
【図９】第２実施形態に係る通信システムにおける端末装置の機能ブロック図
【図１０】第２実施形態に係る通信システムの制御シーケンス図
【図１１】第２実施形態に係る周辺アクセスポイントの検出リストの一例を示す説明図
【図１２】第３実施形態に係る通信システムにおける端末装置および通信制御装置の機能ブロック図
【図１３】第３実施形態に係る通信システムの制御シーケンス図
【図１４】第４実施形態に係る通信システムにおける端末装置の機能ブロック図
【図１５】第４実施形態に係る通信システムの制御シーケンス図
【図１６】第４実施形態に係る協調制御レベルの推定リストの一例を示す説明図
【図１７】図１６に示した接続先選択（Ｓ１００６）の詳細を示すフロー図
【発明を実施するための形態】
【００１２】
上記課題を解決するためになされた第１の発明は、通信を制御する通信制御装置との通信に基づき、接続可能な複数の無線アクセスポイントの中から接続すべき無線アクセスポイントを選択する端末装置であって、通信の実行位置の情報を含む端末情報を前記通信制御装置に対して送信する送信部と、前記通信の実行位置に対応する無線アクセスポイントの候補の情報を含む接続先候補情報を前記通信制御装置から受信する受信部と、前記接続先候補情報に含まれる各無線アクセスポイントに関する現在の帯域を推定する帯域推定部と、前記接続先候補情報に含まれる無線アクセスポイントの候補の中から１以上の無線アクセスポイントを接続先として選択する接続先選択部とを備え、前記接続先候補情報には、前記無線アクセスポイントの各候補に関して取得された過去の帯域の情報が含まれ、前記接続先選択部は、前記無線アクセスポイントの各候補に関する前記過去の帯域および前記推定された帯域に基づき、前記１以上の無線アクセスポイントを選択することを特徴とする。
【００１３】
この第１の発明に係る端末装置によれば、接続先の候補となるアクセスポイントに関して通信制御装置において蓄積された（すなわち、他の端末装置による無線通信に関する帯域を含む）過去の帯域の情報と、当該アクセスポイントに関する現在の帯域の状況とを考慮することにより、接続先のアクセスポイントを適切に選択することが可能となる。
【００１４】
また、第２の発明では、上記第１の発明において、前記帯域推定部は、ＲＴＴに基づき前記現在の帯域を推定することを特徴とする。
【００１５】
この第２の発明に係る端末装置によれば、ＲＴＴに基づき現在の帯域をより確実に推定することが可能となる。
【００１６】
また、第３の発明では、上記第１または第２の発明において、前記通信の実行位置において接続可能な周辺の無線アクセスポイントを検出する周辺アクセスポイント検出部を更に備え、前記端末情報には、前記周辺の無線アクセスポイントに関する情報が含まれ、前記無線アクセスポイントの候補には、前記周辺の無線アクセスポイントが含まれることを特徴とする。
【００１７】
この第３の発明に係る端末装置によれば、接続先の候補となるアクセスポイントの抽出に際し、周辺に現に存在するアクセスポイント（特に、通信制御装置に認識されていない新規のアクセスポイント）を考慮することが可能となるため、接続先のアクセスポイントをより適切に選択することが可能となる。
【００１８】
また、第４の発明では、上記第１から第３の発明いずれかにおいて、前記周辺の無線アクセスポイントの各々に関し、協調制御の実行の有無を検出する協調制御検出部を更に備え、前記端末情報には、前記協調制御検出部による前記協調制御に関する検出結果が含まれ、前記接続先候補情報には、前記協調制御に関する検出結果に対応する無線アクセスポイントの候補の情報が含まれることを特徴とする。
【００１９】
この第４の発明に係る端末装置によれば、接続先の候補となるアクセスポイントの抽出に際し、周辺に現に存在するアクセスポイントの協調制御の有無を考慮することが可能となるため、帯域推定結果が大きい、かつ協調制御を実行している信頼度の高いアクセスポイント（すなわち、帯域推定結果の信頼度の高い）を接続先として適切に選択することが可能となる。
【００２０】
また、第５の発明では、上記第１から第３の発明いずれかにおいて、前記周辺の無線アクセスポイントの各々に関し、使用するチャネルを検出するチャネル検出部を更に備え、前記端末情報には、前記チャネル検出部による前記チャネルの検出結果が含まれ、前記接続先候補情報には、前記チャネルの検出結果に対応する無線アクセスポイントの候補の情報が含まれることを特徴とする。
【００２１】
この第５の発明に係る端末装置によれば、接続先の候補となるアクセスポイントの抽出に際し、周辺に現に存在するアクセスポイントのチャネルを考慮することが可能となるため、帯域推定結果が大きい、かつ他のアクセスポイントが使用していない（或いは、使用している他のアクセスポイントの数の少ない）チャネルを使用する信頼度の高いアクセスポイント（すなわち、帯域推定結果の信頼度の高い）を接続先として適切に選択することが可能となる。
【００２２】
また、第６の発明は、上記第１から第３の発明いずれかにおいて、前記周辺の無線アクセスポイントの各々に関し、電波のノイズレベルを検出するノイズ検出部を更に備え、前記端末情報には、前記ノイズ検出部による前記ノイズレベルの検出結果が含まれ、前記接続先候補情報には、前記ノイズレベルの検出結果に対応する無線アクセスポイントの候補の情報が含まれることを特徴とする。
【００２３】
この第６の発明に係る端末装置によれば、接続先の候補となるアクセスポイントの抽出に際し、周辺に現に存在するアクセスポイントのノイズレベルを考慮することが可能となるため、帯域推定結果が大きい、かつノイズレベルの低いアクセスポイント（すなわち、帯域推定結果の信頼度の高い）を接続先として適切に選択することが可能となる。
【００２４】
また、第７の発明は、上記第３の発明において、前記周辺アクセスポイント検出部は、前記無線アクセスポイントに関する受信信号強度を検出することを特徴とする。
【００２５】
この第７の発明に係る端末装置によれば、通信の実行位置において接続可能な周辺の無線アクセスポイントの受信信号強度（ＲＳＳＩ）に基づき周辺のアクセスポイントの無線通信品質を把握することができる。
【００２６】
また、第８の発明は、前記第１から第７発明のいずれかにおいて、前記送信部は、周辺の無線アクセスポイントの検出情報および前記帯域推定部によって推定された帯域の情報を前記通信制御装置に対して送信することを特徴とする。
【００２７】
この第８の発明に係る端末装置によれば、通信制御装置において、周辺の無線アクセスポイントの検出情報および帯域の情報を容易に蓄積することが可能となる。
【００２８】
また、第９の発明は、通信を制御する通信制御装置との通信に基づき、接続可能な複数の無線アクセスポイントの中から接続すべき無線アクセスポイントを選択する端末装置であって、通信の実行位置の情報を含む端末情報を前記通信制御装置に対して送信する送信部と、前記通信の実行位置に対応する無線アクセスポイントの候補の情報を含む接続先候補情報を前記通信制御装置から受信する受信部と、前記接続先候補情報に含まれる無線アクセスポイントに関する通信品質を測定する通信品質測定部と、前記接続先候補情報に含まれる無線アクセスポイントの候補の中から１以上の無線アクセスポイントを接続先として選択する接続先選択部とを備え、前記送信部は、前記通信品質測定部によって測定された前記通信品質の情報を前記通信制御装置に対して更に送信し、前記受信部は、前記通信品質の情報に基づき前記無線アクセスポイントに関して推定された帯域の情報を前記通信制御装置から受信し、前記接続先選択部は、前記推定された帯域に基づき、前記１以上の無線アクセスポイントを選択することを特徴とする。
【００２９】
この第９の発明に係る端末装置によれば、接続先の候補となるアクセスポイントに関して通信制御装置において蓄積された過去の帯域の情報と、当該アクセスポイントに関する現在の帯域の状況とを考慮することにより、接続先のアクセスポイントを適切に選択することが可能となる。
【００３０】
また、第１０の発明は、上記第１から第９の発明のいずれかに係る前記端末装置に対して前記接続先候補情報を送信する通信制御装置である。
【００３１】
この第１０の発明に係る通信制御装置によれば、接続先の候補となるアクセスポイントに関して蓄積された過去の帯域の情報と、当該アクセスポイントに関する現在の帯域の状況とを考慮することにより、接続先のアクセスポイントを端末装置に適切に選択させることが可能となる。
【００３２】
また、第１１の発明は、上記第１から第９の発明のいずれかに係る前記端末装置および上記第１０の発明に係る前記通信制御装置を備えた通信システムである。
【００３３】
この第１１の発明に係る通信システムによれば、接続先の候補となるアクセスポイントに関して通信制御装置において蓄積された過去の帯域の情報と、当該アクセスポイントに関する現在の帯域の状況とを考慮することにより、接続先のアクセスポイントを端末装置に適切に選択させることが可能となる。
【００３４】
また、第１２の発明は、通信制御装置からの情報に基づき選択した無線アクセスポイントを介して通信を行う端末装置に関する通信制御方法であって、前記通信の実行位置の情報を含む端末情報を前記通信制御装置に対して送信する送信ステップと、前記通信の実行位置に対応する無線アクセスポイントの候補の情報を含む接続先候補情報を前記通信制御装置から受信する受信ステップと、前記接続先候補情報に含まれる無線アクセスポイントに関する帯域を推定する帯域推定ステップと、前記接続先候補情報に含まれる無線アクセスポイントの候補の中から１以上の無線アクセスポイントを接続先として選択する接続先選択ステップとを含み、前記接続先候補情報には、前記無線アクセスポイントの候補に関して取得された過去の帯域の情報が含まれ、前記接続先選択ステップでは、前記無線アクセスポイントの候補に関して取得された過去の帯域および前記推定された帯域に基づき、前記１以上の無線アクセスポイントが選択されることを特徴とする。
【００３５】
この第１２の発明に係る通信制御方法によれば、接続先の候補となるアクセスポイントに関して通信制御装置において蓄積された過去の帯域の情報と、当該アクセスポイントに関する現在の帯域の状況とを考慮することにより、接続先のアクセスポイントを端末装置に適切に選択させることが可能となる。
【００３６】
また、第１３の発明は、通信制御装置からの制御情報に基づき選択した無線アクセスポイントを介して通信を行う端末装置に関する通信制御方法であって、前記通信の実行位置の情報を含む端末情報を前記通信制御装置に対して送信する端末情報送信ステップと、前記通信の実行位置に対応する無線アクセスポイントの候補の情報を含む接続先候補情報を前記通信制御装置から受信する候補情報受信ステップと、前記接続先候補情報に含まれる無線アクセスポイントに関する通信品質を測定する通信品質測定ステップと、前記接続先候補情報に含まれる無線アクセスポイントの候補の中から１以上の無線アクセスポイントを接続先として選択する接続先選択ステップと、前記通信品質測定ステップによって測定された前記通信品質の情報を前記通信制御装置に対して送信する通信品質情報送信ステップと、前記通信品質の情報に基づき前記無線アクセスポイントに関して推定された帯域の情報を前記通信制御装置から受信する帯域情報受信ステップとを含み、前記接続先選択ステップでは、前記推定された帯域に基づき、前記１以上の無線アクセスポイントが選択されることを特徴とする。
【００３７】
この第１３の発明に係る通信制御方法によれば、接続先の候補となるアクセスポイントに関して通信制御装置において蓄積された過去の帯域の情報と、当該アクセスポイントに関する現在の帯域の状況とを考慮することにより、接続先のアクセスポイントを端末装置に適切に選択させることが可能となる。
【００３８】
以下、本開示の実施の形態について図面を参照しながら説明する。
【００３９】
（第１実施形態）
図１は、本開示の第１実施形態に係る通信システム１の全体構成図である。この通信システム１は、端末装置２と、この端末装置２の無線通信を中継する基地局３およびアクセスポイント４と、電話網やインターネット等の通信ネットワーク５を介して端末装置２に接続可能な通信制御装置６とを主として備える。端末装置２は、基地局３およびアクセスポイント４を介して通信ネットワーク５に接続可能である。
【００４０】
後に詳述するように、通信システム１では、端末装置２がアクセスポイント４を介して無線通信を実行する場合には、その無線通信の実行位置（通常は、現在位置）や、通信状況（各アクセスポイントに関する通信品質、可用帯域等）などに応じて、複数のアクセスポイント４の中から適切な接続先を選択するための処理（以下、「接続先選択処理」という。）が実行される。
【００４１】
端末装置２は、基地局３およびアクセスポイント４を介して無線通信を実行するための公知の無線通信機能を有する。ここでは、端末装置２としてスマートフォン（多機能携帯電話）を用いるが、これに限らず、タブレットＰＣ、ＰＤＡ、及びノートＰＣなどの他の携帯型の情報通信機器を用いることができる。また、図１では、説明の便宜上、１つの端末装置２のみを示しているが、実用上は、通信システム１には多数の端末装置が含まれる。
【００４２】
基地局３は、移動体通信網の末端に配置され、公知のモバイル通信規格（移動体通信用の３Ｇ、ＬＴＥ等）に基づき端末装置２の無線通信を中継可能な装置であり、また、アクセスポイント４は、公知の無線ＬＡＮ規格（IEEE802.11a, 11b, 11g, 11n, 11ac, 11ad等）に基づき端末装置２の無線通信を中継可能な装置である。アクセスポイント４には、有償または無償の無線通信サービスを提供する管理事業者が管理する装置のみならず、一般の店舗や住宅等に任意に設置された装置（例えば、アクセスポイント機能を備えたルータ等）も含まれ得る。基地局３およびアクセスポイント４の数や配置は、図１に示したものに限らず適宜変更することが可能である。
【００４３】
通信制御装置６は、端末装置２の通信を制御するための装置であり、特に、複数のアクセスポイント４の中から接続すべきアクセスポイントを端末装置２が選択するための情報（または命令）を端末装置２に対して提供することが可能である。ここでは、通信制御装置６としてサーバ装置を用いるが、これに限らず、同様の機能を果たす他のコンピュータ機器を用いることができる。また、通信制御装置６が電話網やインターネット等を介することなく端末装置２と直接無線通信を実行する構成も可能である。
【００４４】
図２は通信システム１における端末装置２および通信制御装置６の機能ブロック図であり、図３はアクセスポイント管理リストの一例を示す説明図であり、図４はアクセスポイントに関する通信実績リストの一例を示す説明図であり、図５はアプリケーションに関する接続先候補リストの一例を示す説明図である。
【００４５】
端末装置２は、図２に示す各部１０−１５の機能を備える。位置情報取得部１０は、端末装置２が備えたＧＰＳ（Global Positioning System）機能に基づき端末装置２による無線通信の実行位置（ここでは、現在位置）の情報を取得する。ただし、位置情報取得部１０は、ＧＰＳに基づく測位方法に限らず、例えば、基地局３との通信に基づき無線通信の実行位置の情報を取得する方法や、発信器（Bluetooth（登録商標）ビーコン）から定期的に発信される信号を受信することにより位置を把握する方法などを採用することができる。
【００４６】
送信部１１は、接続先選択処理に関する各種情報を通信制御装置６に対して送信可能であり、例えば、通信制御装置６に対し、無線通信の実行位置の情報等を含む端末情報を送信する。また、受信部１２は、接続先選択処理に関する各種情報や命令を通信制御装置６から受信可能であり、例えば、端末情報に含まれる通信の実行位置に対応するアクセスポイントの候補の情報を含む接続先候補情報を通信制御装置６から受信する。
【００４７】
通信品質測定部１３は、受信した接続先候補情報に含まれる各アクセスポイントに関する無線通信品質を測定する。無線通信品質は、例えば、アクセスポイント４からの電波に関するＲＳＳＩ（Received Signal Strength Indicator）、ＳＮＲ（Signal-to-Noise Ratio）、及びパケットエラーレートの少なくとも１つに基づくものである。通信品質測定部１３は、例えば、アクセスポイント４に対して送信部１１を介して測定用パケットを送信し、受信部１２で受信したアクセスポイント４の応答をカウントすることによりパケットエラーレートを測定することができる。
【００４８】
帯域推定部１４は、その接続先候補情報に含まれる各アクセスポイントに関する帯域（可用帯域幅）を推定する。
【００４９】
帯域推定部１４は、端末装置２から測定対象のアクセスポイントに対してPing等に基づく測定用パケットを送信することにより、ＲＴＴ（Round-Trip delay Time）を測定し、このＲＴＴに基づき帯域を推定することができる。
【００５０】
接続先選択部１５は、接続先候補情報に含まれるアクセスポイントの候補の中からアクセスポイントを接続先として選択する。接続先選択部１５は、通常は１つのアクセスポイントと接続先として選択するが、複数のアクセスポイントを選択することも可能である。また、接続先選択部１５は、端末装置２のユーザによって予め設定された接続先選択ポリシーに基づき、アクセスポイントを選択することができる。端末装置２は、接続先として選択されたアクセスポイントを介して通信ネットワーク５に接続された任意の通信相手（例えば、Webサーバや、他の端末装置等）との間で通信を実行することが可能である。
【００５１】
なお、接続先選択部１５での接続先選択ポリシーには、より大きな帯域のアクセスポイントを優先的に選択する帯域優先が用いられるが、これに限らず、より小さな遅延時間のアクセスポイントを優先的に選択する遅延時間優先、より電力消費の小さいアクセスポイントを優先的に選択する消費電力優先、より通信実績が多いアクセスポイントを優先的に選択する通信量優先、より通信料金の低いアクセスポイントを優先的に選択する通信料金優先、よりセキュリティの高いアクセスポイント（暗号化方式）を優先的に選択するセキュリティ優先、通信制御装置６からの接続先候補情報に含まれる帯域により大きな重み付けを行う（または、端末装置２で現在の帯域を測定しない）データ実績優先などを用いることもできる。また、そのような接続先選択ポリシーに基づき、所望のアクセスポイントを選択できない場合には、接続先選択部１５は接続先を選択しない。
【００５２】
図示は省略するが、端末装置２は、公知のスマートフォン等と同様のハードウェア構成を備える。例えば、端末装置２には、所定の制御プログラムに基づき各種情報処理や周辺機器の制御などを統括的に実行するプロセッサ、プロセッサのワークエリア等として機能するＲＡＭ（Random Access Memory）、プロセッサが実行する制御プログラムやデータを格納するＲＯＭ（Read Only Memory）、ＧＰＳモジュール、ユーザに対して各種情報を表示する表示装置およびユーザが操作する入力装置として機能するタッチパネル、及び各種情報及びデータを記憶する補助記憶装置などが設けられている。また、端末装置２には、公知のモバイル通信規格（移動体通信用の３Ｇ、ＬＴＥ等）に基づく無線通信および公知の無線ＬＡＮ規格（IEEE802.11a, 11b, 11g, 11n, 11ac, 11ad等）や、Bluetooth（登録商標）に基づく通信にそれぞれ対応可能な無線通信用のアンテナおよび通信モジュールが設けられている。上述のような端末装置２の各部１０−１５の機能は、それらのハードウェアや、プロセッサにより実行される制御プログラムによって実現される。
【００５３】
また、通信制御装置６は、図２に示す各部２０−２４の機能を備える。受信部２０は、接続先選択処理に関する各種情報や要求を端末装置２から受信可能であり、例えば、端末装置２から送信された端末情報を含む各種情報を受信する。また、送信部２１は、接続先選択処理に関する各種情報や命令を端末装置２に対して送信可能であり、例えば、端末装置２に対し、端末情報に含まれる通信の実行位置に対応するアクセスポイントの候補の情報を含む接続先候補情報を送信する。
【００５４】
情報取得部２２は、端末装置２および他の複数の端末装置（図示せず）、基地局３、ならびにアクセスポイント４等から受信部２０を介して接続先選択処理に必要な各種情報を取得し、それら各種情報をデータ記憶部２３に記憶する。データ記憶部２３に記録される情報としては、例えば、アクセスポイントの管理情報や、アクセスポイントに関する通信実績データなどが含まれる。
【００５５】
アクセスポイントの管理情報は、例えば図３に示すようなアクセスポイント管理リストとして構成され、このアクセスポイント管理リストには、各アクセスポイントについてのＥＳＳＩＤ（Extended Service Set IDentifier）、ＢＳＳＩＤ（Basic Service Set IDentifier）、通信料金、アクセスポイントの管理事業者コード、及び暗号化方式などの情報が含まれる。ここで、ＥＳＳＩＤまたはＢＳＳＩＤは、アクセスポイントの位置情報と関連づけられている。
【００５６】
また、アクセスポイントに関する通信実績データは、例えば図４に示すように所定の曜日および日時における各アクセスポイントの通信実績リストとして構成される。図４の通信実績リストには、ＢＳＳＩＤ「ＡＡＡ」を有するアクセスポイントに関して蓄積された所定の曜日および日時におけるＲＳＳＩ、ＲＴＴ、及び帯域のデータが含まれる。データ記憶部２３には、図４に示したものに限らず、複数の異なるＢＳＳＩＤを有するアクセスポイントに関する通信実績データが適宜記憶される。
【００５７】
ここで、通信実績データの曜日は、月曜日−日曜日の７つの曜日に限らず、例えば、休日（土曜日及び日曜日）に関するデータを１つのグループとして扱うことも可能である。また、蓄積されるデータの時間間隔（図４では３分間隔）は、接続先選択処理精度が劣化しない範囲で適宜変更することが可能であり、例えば、５分間隔、３０間隔、または１時間間隔などのより大きな間隔を設定することで蓄積されるデータ量を削減することが可能である。また、アクセスポイントを介した通信が有料であり、その通信料金に時間変動がある場合には、通信実績データには通信料金のデータが含まれ得る。
【００５８】
また、通信実績データのＲＴＴは、複数の端末装置から取得したＲＴＴの平均値を用いることができ、例えば、３分間隔でデータを蓄積する場合において、時刻１０：１５におけるＲＴＴの値（１０：１５からの３分間に３台のＵＥからの報告があった場合の平均RTT(10:15)）を次式から求めることができる。
【００５９】
平均RTT (10:15) = (UE1_RTT (10:16)+UE2_RTT (10:16)+UE3_RTT (10:17)) / 3
ただし、
UE1_RTT (10:16)：端末装置ＵＥ１が時刻１０：１６に測定したＲＴＴ
UE2_RTT (10:16)：端末装置ＵＥ２が時刻１０：１６に測定したＲＴＴ
UE3_RTT (10:17)：端末装置ＵＥ３が時刻１０：１７に測定したＲＴＴ
【００６０】
さらに、例えば、時刻１０：１５におけるＲＴＴの値は、過去のＲＴＴの値も考慮し、次式から求めることもできる。
【００６１】
平均RTT (10:15) = α ×平均RTT (10:15) ＋ (1-α) × DB_ RTT (10:15)
ただし、
α：端末装置２による瞬時値の重み係数
1-α：通信制御装置６（接続先候補情報）からの帯域データの重み係数
DB_ RTT (10:15)：通信制御装置６による先週までの時刻10:15のRTT値
平均RTT (10:15)：本日の時刻10:15−10:17の3分間の平均RTT値
【００６２】
なお、通信実績データのＲＴＴは、複数の端末装置から取得したＲＴＴの平均値に限定されるものではなく、最大値や最小値などを用いてもよい。
【００６３】
候補情報抽出部２４は、端末装置２からの端末情報に含まれる通信の実行位置に対応するアクセスポイントの候補を抽出し、その抽出したアクセスポイントに関する接続先候補情報を生成する。このアクセスポイントの候補の抽出処理では、候補情報抽出部２４は、データ記憶部２３に記憶された複数のアクセスポイントの管理情報および複数のアクセスポイントに関する通信実績データを参照し、端末装置２による通信の実行位置および通信の実行時刻（ここでは、現曜日の現在時刻）から接続可能と判定されたアクセスポイントを抽出することができる。接続先候補情報は、例えば図５に示すようなアクセスポイントに関する接続先候補リストとして構成され、この接続先候補リストには、各アクセスポイントについてのＥＳＳＩＤ、ＢＳＳＩＤ、帯域、通信料金、アクセスポイントの管理事業者コード、及び暗号化方式などの情報が含まれる。
【００６４】
図示は省略するが、通信制御装置６は、公知のサーバ装置と同様のハードウェア構成を備える。例えば、通信制御装置６には、所定の制御プログラムに基づき各種情報処理や周辺機器の制御などを統括的に実行するプロセッサ、プロセッサのワークエリア等として機能するＲＡＭ、プロセッサが実行する制御プログラムやデータを格納するＲＯＭ、ネットワークを介した通信処理を実行するネットワークインタフェース、モニタ、入力デバイス、及び補助記憶装置などを含むハードウェア構成を有しており、上述のような端末装置２の各部２０−２４の機能は、それらのハードウェアや、プロセッサにより実行される制御プログラムによって実現される。
【００６５】
図６は通信システム１の接続先選択処理に関する制御シーケンス図であり、図７はアプリケーションに関する要求帯域リストの一例を示す説明図であり、図８はアプリケーションに関する接続先候補リストの変形例を示す説明図である。
【００６６】
端末装置２は、アクセスポイント４を介して通信を開始する際には、まず、基地局３（すなわち、移動体通信網）を介して通信制御装置６に接続することが可能であり、これにより、通信制御装置６に対して端末情報を送信する（Ｓ１００１）。
【００６７】
端末装置２から端末情報を取得した通信制御装置６は、端末装置２の通信の実行位置および通信の実行時刻（ここでは、現在位置および現在時刻）から接続可能と判定されたアクセスポイントを抽出し、これにより、それら抽出したアクセスポイントに関する接続先候補情報（接続先候補リスト）を生成する（Ｓ１００２）。その後、通信制御装置６は、その接続先候補情報を端末装置２に対して送信する（Ｓ１００３）。
【００６８】
次に、端末装置２は、受信した接続先候補情報に含まれる各アクセスポイントに関する無線通信品質を測定する（Ｓ１００４）。続いて、端末装置２は、接続先候補情報に含まれる各アクセスポイントに関する帯域を推定する（Ｓ１００５）。
【００６９】
次に、端末装置２は、接続先候補情報に含まれるアクセスポイントの候補に関する情報（過去の帯域の実績等）と、無線通信品質の測定結果および帯域の推定結果とから、接続選択ポリシーに基づき、接続先候補情報に含まれるアクセスポイントの候補の中から１以上のアクセスポイントを接続先として選択する（Ｓ１００６）。このＳ１００６では、端末装置２は、利用可能な無線規格が１つ（例えば、IEEE802.11acのみ）の場合は、最終的には１つを選択する。また、利用可能な無線規格が２以上（例えばIEEE802.11ac、IEEE802.11ad等）あればそれらを選択することができる。
【００７０】
その後、端末装置２は、無線通信品質の測定結果を含む通信品質情報および帯域の推定結果を含む帯域推定情報を通信制御装置６に対して送信する（Ｓ１００７）。通信品質情報および帯域推定情報を受信した通信制御装置６は、それらの情報に基づきアクセスポイントの管理情報およびアクセスポイントに関する通信実績データを更新（または新規に追加）する。
【００７１】
なお、上記Ｓ１００１では、端末装置２は、端末情報として、無線通信を実行する際に実行されている（すなわち、無線通信によるデータの送受信を必要とする）アプリケーションの要求帯域の情報を通信制御装置６に対して送信することができる。
【００７２】
要求帯域の情報は、例えば図７に示すような要求帯域リストとして構成され、この要求帯域リストでは、例えば、動画、ＡＲ（Augmented Reality）／ＶＲ（Virtual Reality）、Ｗｅｂブラウジング、及びゲームなどの各アプリケーションについて、要求帯域および所望の帯域時間が設定されている。端末装置２は、例えば、動画アプリケーションが実行されている場合、要求帯域２０Ｍｂｐｓおよび所望の遅延時間５ｍｓを端末情報として通信制御装置６に対して送信することができる。
【００７３】
これにより、通信制御装置６は、上記Ｓ１００２において、例えば、要求帯域２０Ｍｂｐｓを考慮して接続先候補情報を生成（すなわち、帯域が２０Ｍｂｐｓ以上のアクセスポイントを抽出）する。接続先候補情報は、例えば図８に示すような帯域の大きさによって順位づけられたアクセスポイントを含む接続先候補リストとして構成される。
【００７４】
また、上記Ｓ１００５の帯域推定では、上述のような方法に限らず、例えば、帯域（推定値）Rateを次式から求めることもできる。
【００７５】
Rate = C_RTT × α× F_RTT (NowRTT) + (1-α) ×DB_Rate
ただし、
α：端末装置２による瞬時値の重み係数
1-α：通信制御装置６（接続先候補情報）からの帯域データの重み係数
C_RTT：係数
F_RTT：RTTから帯域を算出する関数
NowRTT：端末装置２が測定した瞬時RTT
DB_Rate：通信制御装置６（接続先候補情報）から取得した帯域データ
【００７６】
また、Ｓ１００５の帯域推定では、事前にアクセスポイントを選別（例えば、所定の閾値以下の帯域のアクセスポイントを排除）した後に、その選別されたアクセスポイントに対して帯域推定用パケットを送信してＲＴＴを取得することで、次式により帯域を推定する方法を用いることもできる。
【００７７】
帯域（推定値） ＝帯域推定用パケットサイズ[byte] × 2 × 8 / RTT[s]
【００７８】
この場合、最初の帯域推定用パケットサイズ（ウィンドウサイズ）は、通信制御装置６からのＲＴＴ値に基づいて決定することができる。これにより、ウィンドウサイズを早期に収束させることが可能となる。
【００７９】
（第２実施形態）
図９は本開示の第２実施形態に係る通信システムにおける端末装置２の機能ブロック図であり、図１０は通信システムの制御シーケンス図であり、図１１は周辺アクセスポイントの検出リストの一例を示す説明図である。図９および図１０では、上述の図２および図６（第１実施形態）にそれぞれ示した構成要素と同様の構成要素については、同一の符号が付されている。また、第２実施形態に係る通信システムに関し、以下で特に言及しない事項については、第１実施形態の場合と同様とする。
【００８０】
図９に示すように、第２実施形態に係る端末装置２では、端末装置２の通信の実行位置において接続可能な周辺のアクセスポイントを検出する周辺ＡＰ（アクセスポイント）検出部３１を更に備えた点において、第１実施形態の場合とは異なる。
【００８１】
図１０に示すように、端末装置２は、通信制御装置６に対して端末情報を送信する前に、接続可能な周辺のアクセスポイントを検出することにより、その検出したアクセスポイントの情報を含む周辺ＡＰ情報を生成する（Ｓ１０１０）。周辺ＡＰ情報は、例えば図１１に示すような周辺アクセスポイントの検出リストとして構成され、この周辺アクセスポイントの検出リストには、検出された各アクセスポイントのＥＳＳＩＤおよびＲＳＳＩ等の情報が含まれる。
【００８２】
端末装置２は、端末情報として、通信の実行位置と共に周辺ＡＰ情報を通信制御装置６に対して送信する（Ｓ１００１）。これにより、通信制御装置６は、アクセスポイントに関する接続先候補情報の生成（Ｓ１００２）において、端末装置２から受信した周辺ＡＰ情報に基づき、接続先の候補のアクセスポイントとして端末装置２の周辺に現に存在するアクセスポイント（特に、通信制御装置に認識されていない新規のアクセスポイント）を考慮することが可能となる。その結果、Ｓ１００３において通信制御装置６から端末装置２に送信される接続先候補情報には、端末装置２の周辺のアクセスポイント（特に、通信制御装置６に未だ認識されていない新規のアクセスポイント）が含まれ得る。
【００８３】
（第３実施形態）
図１２は本開示の第３実施形態に係る通信システムにおける端末装置および通信制御装置の機能ブロック図であり、図１３は通信システムの制御シーケンス図である。図１２および図１３では、上述の図２および図６（第１実施形態）にそれぞれ示した構成要素と同様の構成要素については、同一の符号が付されている。また、第３実施形態に係る通信システムに関し、以下で特に言及しない事項については、上述の第１実施形態等の場合と同様とする。
【００８４】
図１２に示すように、第３実施形態に係る通信システムでは、端末装置２の帯域推定部１４が省略される一方、通信制御装置６に帯域推定部１４が設けられる点において、第１実施形態の場合とは異なる。
【００８５】
図１３に示すように、端末装置２は、受信した接続先候補情報に含まれる各アクセスポイントに関する無線通信品質を測定すると（Ｓ１００４）、無線通信品質の測定結果を含む通信品質情報を通信制御装置６に対して送信する（Ｓ１０１１）。通信制御装置６は、受信した通信品質情報に含まれるＲＴＴに基づき帯域を推定する（Ｓ１００５）。
【００８６】
次に、通信制御装置６は、帯域の推定結果を含む帯域推定情報を端末装置２に対して送信する（Ｓ１０１２）。端末装置２は、接続先候補情報に含まれるアクセスポイントの候補に関する情報（過去の帯域の実績等）と、無線通信品質の測定結果および帯域の推定結果とから、接続選択ポリシーに基づき、接続先候補情報に含まれるアクセスポイントの候補の中から１以上のアクセスポイントを接続先として選択する（Ｓ１００６）。
【００８７】
なお、通信制御装置６は、上記Ｓ１００５において、通信品質情報に基づき推定した帯域を、データ記憶部２３に記憶されたアクセスポイントに関する通信実績データに基づき補正することが可能である。また、上記Ｓ１０１１において通信制御装置６に対して送信される無線通信品質の測定結果は、ＲＳＳＩでもよく、その場合、通信制御装置６は、Ｓ１００５においてＲＳＳＩに基づき帯域を推定することが可能である。
【００８８】
（第４実施形態）
図１４は本開示の第４実施形態に係る通信システムにおける端末装置２の機能ブロック図であり、図１５は通信システムの制御シーケンス図であり、図１６は協調制御レベルの推定リストの一例を示す説明図である。図１４および図１５では、上述の図２および図６（第１実施形態）にそれぞれ示した構成要素と同様の構成要素については、同一の符号が付されている。また、第４実施形態に係る通信システムに関し、以下で特に言及しない事項については、上述の第１実施形態等の場合と同様とする。
【００８９】
なお、協調制御とは、アクセスポイントが周辺のアクセスポイントや端末の状況に応じて適応的にアクセスポイントが使用するチャネルや帯域幅、送信電力、キャリアセンス閾値、または従属する端末等を制御することである。
【００９０】
図１４に示すように、第４実施形態に係る端末装置２では、端末装置２の通信の実行位置において接続可能な周辺のアクセスポイントの各々に関し、協調制御の実行の有無を検出する協調制御検出部４１と、周辺の各アクセスポイントが使用するチャネルを検出するチャネル検出部４２と、周辺の各アクセスポイントの電波のノイズレベルを検出するノイズ検出部４３とを更に備えた点において、第１実施形態の場合とは異なる。なお、端末装置２は、図１４に示した構成に限らず、協調制御検出部４１、チャネル検出部４２、及びノイズ検出部４３の少なくとも一部を備えた構成であればよい。また、協調制御検出部４１、チャネル検出部４２、及びノイズ検出部４３の少なくとも一部の機能を、通信品質測定部１３によって代替することも可能である。
【００９１】
図１５に示すように、端末装置２は、通信制御装置６に対して端末情報を送信する前に、周辺の帯域推定の信頼度（またはアクセスポイントの信頼度）を検出することにより、その検出した信頼度の情報を含む信頼度情報を生成する（Ｓ１０２０）。なお、Ｓ１０２０の実行タイミングは、適宜変更可能であり、少なくとも帯域推定（Ｓ１００５）の前であればよい。信頼度情報には、各アクセスポイントに関する協調制御の実行の有無の情報（以下、「協調制御検出情報」という。）、各アクセスポイントが使用するチャネルの重複（同じチャネルを使用するアクセスポイントの数）に関する情報（以下、「チャネル使用情報」という。）、アクセスポイントの電波のノイズレベルに関する情報（以下、「ノイズレベル情報」という。）、及び各アクセスポイントに関するＲＳＳＩに関する情報のうちの少なくとも１つが含まれる。
【００９２】
端末装置２は、端末情報として、通信の実行位置と共に信頼度情報を通信制御装置６に対して送信する（Ｓ１００１）。これにより、通信制御装置６は、アクセスポイントに関する接続先候補情報の生成（Ｓ１００２）において、端末装置２から受信した信頼度情報に基づき、接続先の候補のアクセスポイントの候補を抽出することが可能となる。
【００９３】
上記Ｓ１００２において、例えば、通信制御装置６は、協調制御検出情報に基づき、アクセスポイントの候補として、協調制御を実行していないアクセスポイントよりも協調制御を実行しているアクセスポイントを優先して抽出することができる。また例えば、通信制御装置６は、チャネル使用情報に基づき、アクセスポイントの候補として、その使用しているチャネルの重複がより少ないアクセスポイントを優先して抽出することができる。また例えば、通信制御装置６は、ノイズレベル情報に基づき、アクセスポイントの候補として、そのノイズレベルがより低いアクセスポイントを優先して抽出することができる。
【００９４】
これにより、Ｓ１００３において通信制御装置６から端末装置２に送信される接続先候補情報には、上述の信頼度情報が考慮された（すなわち、より信頼度の高い）アクセスポイントの候補のみが含まれることになる。
【００９５】
また、別法として、端末装置２は、周辺のアクセスポイントから協調制御の実行の有無の通知（例えば、品質情報取得コマンド(IEEE802.11k)の有無、チャネルローミング通知(IEEE802.11r)、チャネル切断メッセージの有無）を受信することにより、それら協調制御の実行の有無を判定することができる。その場合、アクセスポイントは、ビーコン信号に自らの協調制御の実行の有無の情報を付加することができる。
【００９６】
また、別法として、端末装置２は、周辺のアクセスポイントから協調制御に用いられるパラメータ（例えば、チャネル、帯域幅、ＲＴＳ閾値、送信電力、及びＡＢＦ（Analogue Beam Forming）等）の変更（デフォルト値から変更されているか否か）の情報を取得することにより、それらに基づき協調制御の実行の有無を判定することができる。
【００９７】
なお、Ｓ１０２０において、端末装置２は、例えばアクセスポイントのＭＡＣアドレスの情報に基づき協調制御の実行の有無を検出（推定）することもできる。このとき、端末装置２は、周辺のアクセスポイントの中（或いは、地図上の所定の領域内）に同一のＯＵＩ（Organizationally Unique Identifier）を有するアクセスポイントが複数存在する場合に、それら複数のアクセスポイントを「協調制御の実行あり」と判定することができる。或いは、端末装置２は、周辺のアクセスポイントの中（或いは、地図上の所定の領域内）に同一のＥＳＳＩＤを有するアクセスポイントが複数存在する場合に、それら複数のアクセスポイントを「協調制御の実行あり」と判定してもよい。
【００９８】
また、端末装置２は、それら協調制御に用いられるパラメータの数（例えば、パラメータの数が所定の閾値より大きい場合に「協調制御の実行あり」と判定すること）によって協調制御の実行の有無の確からしさを判定することが可能である。また、端末装置２は、パラメータの種類によって協調制御の実行の有無の確からしさを判定することが可能である。例えば、図１６に示すように、協調制御に用いられるパラメータの種類に対する協調制御レベルを設定し、それらの協調制御レベルに基づきアクセスポイントの信頼度を設定することができる。例えば、端末装置２は、協調制御レベル：１の場合に信頼度：低とし、協調制御レベル：２の場合に信頼度：中とし、協調制御レベル：３の場合に信頼度：高とすることができる。
【００９９】
図１７は図１６に示した接続先選択（Ｓ１００６）の詳細を示すフロー図である。接続先選択（Ｓ１００６）では、まず、端末装置２は、選択対象のアクセスポイントに関し、Ｓ１００５での帯域（推定値）が通信制御装置６からの接続先候補情報による帯域と同等（それらの差が所定の閾値以内）か否かを判定する（ＳＴ１０１）。そこで、帯域（推定値）が接続先候補情報による帯域と同等である場合（Ｙｅｓ）、端末装置２は、その選択対象のアクセスポイントを接続先として選択する（ＳＴ１０２）。
【０１００】
また、ＳＴ１０１において、帯域（推定値）が接続先候補情報による帯域と同等でない場合（Ｎｏ）、端末装置２は、Ｓ１０２０で検出（推定）した信頼度と、接続先候補情報による信頼度（過去の実績）とを比較し、信頼度が向上している（Ｓ１０２０で検出した信頼度がより高い）か否かを判定し（ＳＴ１０３）、信頼度が向上している場合（Ｙｅｓ）、端末装置２は、その選択対象のアクセスポイントを接続先として選択する（ＳＴ１０２）。
【０１０１】
また、ＳＴ１０３において、信頼度が向上していない場合（Ｎｏ）、端末装置２は、Ｓ１０２０で検出した信頼度に基づきアクセスポイントの帯域を算出し（ＳＴ１０４）、その帯域の算出値が、端末装置２で実行されているアプリケーションの要求帯域を満たすか否かを判定する（ＳＴ１０５）。そこで、帯域の算出値が要求帯域を満たす場合（Ｙｅｓ）、端末装置２は、その選択対象のアクセスポイントを接続先として選択する（ＳＴ１０２）。なお、ＳＴ１０４における信頼度に基づくアクセスポイントの帯域の算出は、例えば、信頼度の低下（接続先候補情報による信頼度とＳ１０２０で検出した信頼度との差分）の度合いに応じた係数をＳ１００５で推定した帯域に乗算することにより行うことができる。    
【０１０２】
また、ＳＴ１０５において、帯域の算出値が要求帯域を満たさない場合（Ｎｏ）、端末装置２は、選択対象のアクセスポイントよりも高い帯域を有する他のアクセスポイント（Ｓ１００６における接続先選択の判断がなされていないもの）が存在するか否かを判定し（ＳＴ１０６）、そのような他のアクセスポイントが存在する場合（Ｎｏ）、再びＳＴ１０２に戻し、別の選択対象のアクセスポイントに関して上述と同様の処理を実行する。
【０１０３】
最終的に、全てのアクセスポイントに対して接続先選択の判断がなされ、しかも端末装置２は、選択対象のアクセスポイントよりも高い帯域を有する他のアクセスポイントが存在しない場合（ＳＴ１０６：Ｙｅｓ）には、いずれのアクセスポイントも接続先としては選択されない。
【０１０４】
以上、本開示を特定の実施形態に基づいて説明したが、これらの実施形態はあくまでも例示であって、本開示はこれらの実施形態によって限定されるものではない。なお、上記端末装置、通信制御装置、通信システム、および通信制御方法の各構成要素は、必ずしも全てが必須ではなく、少なくとも本開示の範囲を逸脱しない限りにおいて適宜取捨選択することが可能である。例えば、本開示の通信システムは、各実施形態の一部の構成要素を適宜組み合わせて構成することができる。
【産業上の利用可能性】
【０１０５】
本開示に係る端末装置、通信制御装置、通信システム、および通信制御方法は、接続先の候補となるアクセスポイントに関して蓄積された過去の帯域の情報と、当該アクセスポイントに関する現在の帯域の状況とを考慮することにより、接続先のアクセスポイントを適切に選択可能とし、無線アクセスポイントを介して通信を行う端末装置、無線アクセスポイントに対する端末装置の接続を制御する通信制御装置、端末装置と通信制御装置とを備えた通信システム、および端末装置の接続先となる無線アクセスポイントを決定するための通信制御方法などとして有用である。
【符号の説明】
【０１０６】
１  通信システム
２  端末装置
３  基地局
４  アクセスポイント
５  通信ネットワーク
６  通信制御装置
１０  位置情報取得部
１１  送信部
１２  受信部
１３  通信品質測定部
１４  帯域推定部
１５  接続先選択部
２０  受信部
２１  送信部
２２  情報取得部
２３  データ記憶部
２４  候補情報抽出部
３１  周辺ＡＰ検出部
４１  協調制御検出部
４２  チャネル検出部
４３  ノイズ検出部
【図１】
2017120994.tif 000003
【図２】
2017120994.tif 000004
【図３】
2017120994.tif 000005
【図４】
2017120994.tif 000006
【図５】
2017120994.tif 000007
【図６】
2017120994.tif 000008
【図７】
2017120994.tif 000009
【図８】
2017120994.tif 000010
【図９】
2017120994.tif 000011
【図１０】
2017120994.tif 000012
【図１１】
2017120994.tif 000013
【図１２】
2017120994.tif 000014
【図１３】
2017120994.tif 000015
【図１４】
2017120994.tif 000016
【図１５】
2017120994.tif 000017
【図１６】
2017120994.tif 000018
【図１７】
2017120994.tif 000019
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
通信を制御する通信制御装置との通信に基づき、接続可能な複数の無線アクセスポイントの中から接続すべき無線アクセスポイントを選択する端末装置であって、
通信の実行位置において接続可能な周辺の無線アクセスポイントを検出する周辺アクセスポイント検出部と、
前記検出された周辺の無線アクセスポイントの各々に関し、協調制御の実行の有無を検出する協調制御検出部と、
前記通信の実行位置の情報および前記周辺アクセスポイント検出部により検出された周辺の無線アクセスポイントに関する情報および前記協調制御検出部による前記協調制御に関する検出結果を含む端末情報を前記通信制御装置に対して送信する送信部と、
前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信部と、
前記接続先候補情報に含まれる各無線アクセスポイントに関する現在の帯域を推定する帯域推定部と、
前記接続先候補情報に含まれる無線アクセスポイントの候補の中から１以上の無線アクセスポイントを接続先として選択する接続先選択部とを備え、
前記接続先候補情報には、前記無線アクセスポイントの各候補に関して取得された過去の帯域の情報が含まれ、
前記接続先選択部は、前記無線アクセスポイントの各候補に関する前記過去の帯域および前記推定された帯域に基づき、前記１以上の無線アクセスポイントを選択することを特徴とする端末装置。
【請求項２】
前記帯域推定部は、ＲＴＴに基づき前記現在の帯域を推定することを特徴とする請求項１に記載の端末装置。
【請求項３】
前記周辺の無線アクセスポイントの各々に関し、使用するチャネルを検出するチャネル検出部を更に備え、
前記端末情報には、前記チャネル検出部による前記チャネルの検出結果が含まれ、
前記接続先候補情報には、前記チャネルの検出結果に対応する無線アクセスポイントの候補の情報が含まれることを特徴とする請求項１に記載の端末装置。
【請求項４】
前記周辺の無線アクセスポイントの各々に関し、電波のノイズレベルを検出するノイズ検出部を更に備え、
前記端末情報には、前記ノイズ検出部による前記ノイズレベルの検出結果が含まれ、
前記接続先候補情報には、前記ノイズレベルの検出結果に対応する無線アクセスポイントの候補の情報が含まれることを特徴とする請求項１に記載の端末装置。
【請求項５】
前記周辺アクセスポイント検出部は、前記無線アクセスポイントに関する受信信号強度を検出し、
前記端末情報には、前記受信信号強度に関する検出結果が含まれ、
前記接続先候補情報には、前記受信信号強度の検出結果に対応する無線アクセスポイントの候補の情報が含まれることを特徴とする請求項１に記載の端末装置。
【請求項６】
前記送信部は、前記端末情報に含まれる前記検出結果および前記帯域推定部によって推定された帯域の情報を前記通信制御装置に対して送信することを特徴とする請求項３から請求項５のいずれかに記載の端末装置。
【請求項７】
請求項１から請求項６のいずれかに係る前記端末装置に対して前記接続先候補情報を送信する通信制御装置。
【請求項８】
請求項１から請求項６のいずれかに係る前記端末装置および請求項７に係る前記通信制御装置を備えた通信システム。
【請求項９】
通信制御装置からの情報に基づき選択した無線アクセスポイントを介して通信を行う端末装置に関する通信制御方法であって、
通信の実行位置において接続可能な周辺の無線アクセスポイントを検出する周辺アクセスポイント検出ステップと、
前記検出された周辺の無線アクセスポイントの各々に関し、協調制御の実行の有無を検出する協調制御検出ステップと、
前記通信の実行位置の情報および前記周辺アクセスポイント検出部により検出された周辺の無線アクセスポイントに関する情報および前記協調制御検出部による前記協調制御に関する検出結果を含む端末情報を前記通信制御装置に対して送信する送信ステップと、
前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信ステップと、
前記接続先候補情報に含まれる無線アクセスポイントに関する現在の帯域を推定する帯域推定ステップと、
前記接続先候補情報に含まれる無線アクセスポイントの候補の中から１以上の無線アクセスポイントを接続先として選択する接続先選択ステップとを含み、前記接続先候補情報には、前記無線アクセスポイントの候補に関して取得された過去の帯域の情報が含まれ、
前記接続先選択ステップでは、前記無線アクセスポイントの候補に関して取得された過去の帯域および前記推定された帯域に基づき、前記１以上の無線アクセスポイントが選択されることを特徴とする通信制御方法。
【手続補正２】
【補正対象書類名】明細書
【補正対象項目名】０００９
【補正方法】変更
【補正の内容】
【０００９】
本開示の端末装置は、通信を制御する通信制御装置との通信に基づき、接続可能な複数の無線アクセスポイントの中から接続すべき無線アクセスポイントを選択する端末装置であって、通信の実行位置において接続可能な周辺の無線アクセスポイントを検出する周辺アクセスポイント検出部と、前記検出された周辺の無線アクセスポイントの各々に関し、協調制御の実行の有無を検出する協調制御検出部と、前記通信の実行位置の情報および前記周辺アクセスポイント検出部により検出された周辺の無線アクセスポイントに関する情報および前記協調制御検出部による前記協調制御に関する検出結果を含む端末情報を前記通信制御装置に対して送信する送信部と、前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信部と、前記接続先候補情報に含まれる各無線アクセスポイントに関する帯域を推定する帯域推定部と、前記接続先候補情報に含まれる無線アクセスポイントの候補の中から１以上の無線アクセスポイントを接続先として選択する接続先選択部とを備え、前記接続先候補情報には、前記無線アクセスポイントの各候補に関して取得された過去の帯域の情報が含まれ、前記接続先選択部は、前記無線アクセスポイントの各候補に関する前記過去の帯域および前記推定された帯域に基づき、前記１以上の無線アクセスポイントを選択することを特徴とする。
【手続補正３】
【補正対象書類名】明細書
【補正対象項目名】００１２
【補正方法】変更
【補正の内容】
【００１２】
上記課題を解決するためになされた第１の発明は、通信を制御する通信制御装置との通信に基づき、接続可能な複数の無線アクセスポイントの中から接続すべき無線アクセスポイントを選択する端末装置であって、通信の実行位置において接続可能な周辺の無線アクセスポイントを検出する周辺アクセスポイント検出部と、前記検出された周辺の無線アクセスポイントの各々に関し、協調制御の実行の有無を検出する協調制御検出部と、前記通信の実行位置の情報および前記周辺アクセスポイント検出部により検出された周辺の無線アクセスポイントに関する情報および前記協調制御検出部による前記協調制御に関する検出結果を含む端末情報を前記通信制御装置に対して送信する送信部と、前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信部と、前記接続先候補情報に含まれる各無線アクセスポイントに関する現在の帯域を推定する帯域推定部と、前記接続先候補情報に含まれる無線アクセスポイントの候補の中から１以上の無線アクセスポイントを接続先として選択する接続先選択部とを備え、前記接続先候補情報には、前記無線アクセスポイントの各候補に関して取得された過去の帯域の情報が含まれ、前記接続先選択部は、前記無線アクセスポイントの各候補に関する前記過去の帯域および前記推定された帯域に基づき、前記１以上の無線アクセスポイントを選択することを特徴とする。
【手続補正４】
【補正対象書類名】明細書
【補正対象項目名】００１３
【補正方法】変更
【補正の内容】
【００１３】
この第１の発明に係る端末装置によれば、接続先の候補となるアクセスポイントに関して通信制御装置において蓄積された（すなわち、他の端末装置による無線通信に関する帯域を含む）過去の帯域の情報と、当該アクセスポイントに関する現在の帯域の状況とを考慮することにより、接続先のアクセスポイントを適切に選択することが可能となる。また、接続先の候補となるアクセスポイントの抽出に際し、周辺に現に存在するアクセスポイントの協調制御の有無を考慮することが可能となるため、帯域推定結果が大きい、かつ協調制御を実行している信頼度の高いアクセスポイント（すなわち、帯域推定結果の信頼度の高い）を接続先として適切に選択することが可能となる。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
また、第３の発明では、上記第１の発明において、前記周辺の無線アクセスポイントの各々に関し、使用するチャネルを検出するチャネル検出部を更に備え、前記端末情報には、前記チャネル検出部による前記チャネルの検出結果が含まれ、前記接続先候補情報には、前記チャネルの検出結果に対応する無線アクセスポイントの候補の情報が含まれることを特徴とする。
【手続補正１０】
【補正対象書類名】明細書
【補正対象項目名】００２１
【補正方法】変更
【補正の内容】
【００２１】
この第３の発明に係る端末装置によれば、接続先の候補となるアクセスポイントの抽出に際し、周辺に現に存在するアクセスポイントのチャネルを考慮することが可能となるため、帯域推定結果が大きい、かつ他のアクセスポイントが使用していない（或いは、使用している他のアクセスポイントの数の少ない）チャネルを使用する信頼度の高いアクセスポイント（すなわち、帯域推定結果の信頼度の高い）を接続先として適切に選択することが可能となる。
【手続補正１１】
【補正対象書類名】明細書
【補正対象項目名】００２２
【補正方法】変更
【補正の内容】
【００２２】
また、第４の発明は、上記第１の発明において、前記周辺の無線アクセスポイントの各々に関し、電波のノイズレベルを検出するノイズ検出部を更に備え、前記端末情報には、前記ノイズ検出部による前記ノイズレベルの検出結果が含まれ、前記接続先候補情報には、前記ノイズレベルの検出結果に対応する無線アクセスポイントの候補の情報が含まれることを特徴とする。
【手続補正１２】
【補正対象書類名】明細書
【補正対象項目名】００２３
【補正方法】変更
【補正の内容】
【００２３】
この第４の発明に係る端末装置によれば、接続先の候補となるアクセスポイントの抽出に際し、周辺に現に存在するアクセスポイントのノイズレベルを考慮することが可能となるため、帯域推定結果が大きい、かつノイズレベルの低いアクセスポイント（すなわち、帯域推定結果の信頼度の高い）を接続先として適切に選択することが可能となる。
【手続補正１３】
【補正対象書類名】明細書
【補正対象項目名】００２４
【補正方法】変更
【補正の内容】
【００２４】
また、第５の発明は、上記第１の発明において、前記周辺アクセスポイント検出部は、前記無線アクセスポイントに関する受信信号強度を検出し、前記端末情報には、前記受信信号強度に関する検出結果が含まれ、前記接続先候補情報には、前記受信信号強度の検出結果に対応する無線アクセスポイントの候補の情報が含まれることを特徴とする。
【手続補正１４】
【補正対象書類名】明細書
【補正対象項目名】００２５
【補正方法】変更
【補正の内容】
【００２５】
この第５の発明に係る端末装置によれば、通信の実行位置において接続可能な周辺の無線アクセスポイントの受信信号強度（ＲＳＳＩ）に基づき周辺のアクセスポイントの無線通信品質を把握することができる。
【手続補正１５】
【補正対象書類名】明細書
【補正対象項目名】００２６
【補正方法】変更
【補正の内容】
【００２６】
また、第６の発明は、前記第３から第５発明のいずれかにおいて、前記送信部は、前記端末情報に含まれる前記検出結果および前記帯域推定部によって推定された帯域の情報を前記通信制御装置に対して送信することを特徴とする。
【手続補正１６】
【補正対象書類名】明細書
【補正対象項目名】００２７
【補正方法】変更
【補正の内容】
【００２７】
この第６の発明に係る端末装置によれば、通信制御装置において、周辺の無線アクセスポイントの検出情報および帯域の情報を容易に蓄積することが可能となる。
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
また、第７の発明は、上記第１から第６の発明のいずれかに係る前記端末装置に対して前記接続先候補情報を送信する通信制御装置である。
【手続補正２０】
【補正対象書類名】明細書
【補正対象項目名】００３１
【補正方法】変更
【補正の内容】
【００３１】
この第７の発明に係る通信制御装置によれば、接続先の候補となるアクセスポイントに関して蓄積された過去の帯域の情報と、当該アクセスポイントに関する現在の帯域の状況とを考慮することにより、接続先のアクセスポイントを端末装置に適切に選択させることが可能となる。
【手続補正２１】
【補正対象書類名】明細書
【補正対象項目名】００３２
【補正方法】変更
【補正の内容】
【００３２】
また、第８の発明は、上記第１から第６の発明のいずれかに係る前記端末装置および上記第７の発明に係る前記通信制御装置を備えた通信システムである。
【手続補正２２】
【補正対象書類名】明細書
【補正対象項目名】００３３
【補正方法】変更
【補正の内容】
【００３３】
この第８の発明に係る通信システムによれば、接続先の候補となるアクセスポイントに関して通信制御装置において蓄積された過去の帯域の情報と、当該アクセスポイントに関する現在の帯域の状況とを考慮することにより、接続先のアクセスポイントを端末装置に適切に選択させることが可能となる。
【手続補正２３】
【補正対象書類名】明細書
【補正対象項目名】００３４
【補正方法】変更
【補正の内容】
【００３４】
また、第９の発明は、通信制御装置からの情報に基づき選択した無線アクセスポイントを介して通信を行う端末装置に関する通信制御方法であって、通信の実行位置において接続可能な周辺の無線アクセスポイントを検出する周辺アクセスポイント検出ステップと、前記検出された周辺の無線アクセスポイントの各々に関し、協調制御の実行の有無を検出する協調制御検出ステップと、前記通信の実行位置の情報および前記周辺アクセスポイント検出部により検出された周辺の無線アクセスポイントに関する情報および前記協調制御検出部による前記協調制御に関する検出結果を含む端末情報を前記通信制御装置に対して送信する送信ステップと、前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信ステップと、前記接続先候補情報に含まれる無線アクセスポイントに関する帯域を推定する帯域推定ステップと、前記接続先候補情報に含まれる無線アクセスポイントの候補の中から１以上の無線アクセスポイントを接続先として選択する接続先選択ステップとを含み、前記接続先候補情報には、前記無線アクセスポイントの候補に関して取得された過去の帯域の情報が含まれ、前記接続先選択ステップでは、前記無線アクセスポイントの候補に関して取得された過去の帯域および前記推定された帯域に基づき、前記１以上の無線アクセスポイントが選択されることを特徴とする。
【手続補正２４】
【補正対象書類名】明細書
【補正対象項目名】００３５
【補正方法】変更
【補正の内容】
【００３５】
この第９の発明に係る通信制御方法によれば、接続先の候補となるアクセスポイントに関して通信制御装置において蓄積された過去の帯域の情報と、当該アクセスポイントに関する現在の帯域の状況とを考慮することにより、接続先のアクセスポイントを端末装置に適切に選択させることが可能となる。また、接続先の候補となるアクセスポイントの抽出に際し、周辺に現に存在するアクセスポイントの協調制御の有無を考慮することが可能となるため、帯域推定結果が大きい、かつ協調制御を実行している信頼度の高いアクセスポイント（すなわち、帯域推定結果の信頼度の高い）を接続先として適切に選択することが可能となる。
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
通信を制御する通信制御装置との通信に基づき、接続可能な複数の無線アクセスポイントの中から接続すべき無線アクセスポイントを選択する端末装置であって、
通信の実行位置において接続可能な周辺の無線アクセスポイントを検出する周辺アクセスポイント検出部と、
前記検出された周辺の無線アクセスポイントの各々に関し、協調制御の実行の有無を検出する協調制御検出部と、
前記通信の実行位置の情報および前記周辺アクセスポイント検出部により検出された周辺の無線アクセスポイントに関する情報および前記協調制御検出部による前記協調制御に関する検出結果を含む端末情報を前記通信制御装置に対して送信する送信部と、
前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信部と、
前記接続先候補情報に含まれる各無線アクセスポイントに関する現在の帯域を推定する帯域推定部と、
前記接続先候補情報に含まれる無線アクセスポイントの候補の中から１以上の無線アクセスポイントを接続先として選択する接続先選択部とを備え、
前記接続先候補情報には、前記無線アクセスポイントの各候補に関して取得された過去の帯域の情報が含まれ、
前記接続先選択部は、前記無線アクセスポイントの各候補に関する前記過去の帯域および前記推定された帯域に基づき、前記１以上の無線アクセスポイントを選択することを特徴とする端末装置。
【請求項２】
前記帯域推定部は、ＲＴＴに基づき前記現在の帯域を推定することを特徴とする請求項１に記載の端末装置。
【請求項３】
前記周辺の無線アクセスポイントの各々に関し、使用するチャネルを検出するチャネル検出部を更に備え、
前記端末情報には、前記チャネル検出部による前記チャネルの検出結果が含まれ、
前記接続先候補情報には、前記チャネルの検出結果に対応する無線アクセスポイントの候補の情報が含まれることを特徴とする請求項１に記載の端末装置。
【請求項４】
前記周辺の無線アクセスポイントの各々に関し、電波のノイズレベルを検出するノイズ検出部を更に備え、
前記端末情報には、前記ノイズ検出部による前記ノイズレベルの検出結果が含まれ、
前記接続先候補情報には、前記ノイズレベルの検出結果に対応する無線アクセスポイントの候補の情報が含まれることを特徴とする請求項１に記載の端末装置。
【請求項５】
前記周辺アクセスポイント検出部は、前記無線アクセスポイントに関する受信信号強度を検出し、
前記端末情報には、前記受信信号強度に関する検出結果が含まれ、
前記接続先候補情報には、前記受信信号強度の検出結果に対応する無線アクセスポイントの候補の情報が含まれることを特徴とする請求項１に記載の端末装置。
【請求項６】
前記送信部は、前記端末情報に含まれる前記検出結果および前記帯域推定部によって推定された帯域の情報を前記通信制御装置に対して送信することを特徴とする請求項３から請求項５のいずれかに記載の端末装置。
【請求項７】
請求項１から請求項６のいずれかに係る前記端末装置に対して前記接続先候補情報を送信する通信制御装置。
【請求項８】
請求項１から請求項６のいずれかに係る前記端末装置および請求項７に係る前記通信制御装置を備えた通信システム。
【請求項９】
通信制御装置からの情報に基づき選択した無線アクセスポイントを介して通信を行う端末装置に関する通信制御方法であって、
通信の実行位置において接続可能な周辺の無線アクセスポイントを検出する周辺アクセスポイント検出ステップと、
前記検出された周辺の無線アクセスポイントの各々に関し、協調制御の実行の有無を検出する協調制御検出ステップと、
前記通信の実行位置の情報および前記周辺アクセスポイント検出ステップにより検出された周辺の無線アクセスポイントに関する情報および前記協調制御検出ステップによる前記協調制御に関する検出結果を含む端末情報を前記通信制御装置に対して送信する送信ステップと、
前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信ステップと、
前記接続先候補情報に含まれる無線アクセスポイントに関する現在の帯域を推定する帯域推定ステップと、
前記接続先候補情報に含まれる無線アクセスポイントの候補の中から１以上の無線アクセスポイントを接続先として選択する接続先選択ステップとを含み、前記接続先候補情報には、前記無線アクセスポイントの候補に関して取得された過去の帯域の情報が含まれ、
前記接続先選択ステップでは、前記無線アクセスポイントの候補に関して取得された過去の帯域および前記推定された帯域に基づき、前記１以上の無線アクセスポイントが選択されることを特徴とする通信制御方法。
【手続補正２】
【補正対象書類名】明細書
【補正対象項目名】００３４
【補正方法】変更
【補正の内容】
【００３４】
また、第９の発明は、通信制御装置からの情報に基づき選択した無線アクセスポイントを介して通信を行う端末装置に関する通信制御方法であって、通信の実行位置において接続可能な周辺の無線アクセスポイントを検出する周辺アクセスポイント検出ステップと、前記検出された周辺の無線アクセスポイントの各々に関し、協調制御の実行の有無を検出する協調制御検出ステップと、前記通信の実行位置の情報および前記周辺アクセスポイント検出ステップにより検出された周辺の無線アクセスポイントに関する情報および前記協調制御検出ステップによる前記協調制御に関する検出結果を含む端末情報を前記通信制御装置に対して送信する送信ステップと、前記協調制御に関する検出結果に基づいて抽出された前記通信の実行位置に対応する無線アクセスポイントの候補の情報および前記周辺の無線アクセスポイントの候補の情報を含む接続先候補情報を前記通信制御装置から受信する受信ステップと、前記接続先候補情報に含まれる無線アクセスポイントに関する帯域を推定する帯域推定ステップと、前記接続先候補情報に含まれる無線アクセスポイントの候補の中から１以上の無線アクセスポイントを接続先として選択する接続先選択ステップとを含み、前記接続先候補情報には、前記無線アクセスポイントの候補に関して取得された過去の帯域の情報が含まれ、前記接続先選択ステップでは、前記無線アクセスポイントの候補に関して取得された過去の帯域および前記推定された帯域に基づき、前記１以上の無線アクセスポイントが選択されることを特徴とする。